(57)【要約】【課題】着衣の表面に付着している付着物やシャワー室の床に堆積している塵等の塵埃を簡易的に吸引して除去できるエアーシャワー装置を提供する。【解決手段】隔壁３によってシャワー室４と空気浄化室５とが区画され、隔壁３に空気取入口１０と空気噴射口１１とが設けられ、送風機１３の吸引作用によってシャワー室４から空気取入口１０を通して空気浄化室５に吸引した空気をフィルタ１６で濾過し、送風機１３の送風作用によって空気噴射口１１からシャワー室４に噴射する。遮蔽部材２０によって空気取入口１０の一部を遮蔽することで、空気取入口１０を遮蔽していない場合より送風機１３の吸引力が接続口部材２１に大きく作用するので、接続口部材２１に接続されている吸引ホース２２によって、着衣の表面に付着している付着物やシャワー室の床に堆積している塵等の塵埃を簡易的に吸引して除去できる。【選択図】図１
2018115827.tif 000002
【特許請求の範囲】
【請求項１】
隔壁によってシャワー室と空気浄化室とが区画され、前記隔壁に前記シャワー室から前記空気浄化室に空気を取り入れる空気取入口と、前記空気浄化室から前記シャワー室に空気を噴射する空気噴射口とが設けられ、送風機の吸引作用によって前記シャワー室から前記空気取入口を通して前記空気浄化室に吸引した空気を、フィルタで濾過し、この濾過した空気を前記送風機の送風作用によって前記空気噴射口から前記シャワー室に噴射するエアーシャワー装置であって、
前記隔壁に前記空気取入口の少なくとも一部を遮蔽可能な遮蔽部材が設けられ、
前記送風機の吸引側において前記隔壁に接続口部材が前記隔壁を貫通して設けられ、この接続口部材に吸引ホースが接続されていることを特徴とするエアーシャワー装置。
【請求項２】
空気取入口側にプレフィルタが設けられていることを特徴とする請求項１に記載のエアーシャワー装置。
【発明の詳細な説明】
【技術分野】
【０００１】
本発明は、クリーンルーム等の清浄な環境に維持された空間への入口に設置するエアーシャワー装置に関する。
【背景技術】
【０００２】
クリーンルーム、バイオクリーンルームといった常に清浄な環境に維持された作業室への入口には、入室者の着衣に付着した塵埃や菌を除去するためのエアーシャワー装置が設置されている。
【０００３】
このようなエアーシャワー装置の一例として特許文献１に記載のものが知られている。このエアーシャワー装置は、本体内部に、空気流通路で連通するシャワー室と空気浄化室を区画形成し、ブロアーによってシャワー室から空気流通路を通して空気浄化室に吸引した空気をフィルタで濾過し、この濾過した空気を上記ブロアーの送風作用によってエアーノズルから上記のシャワー室内に循環送出することによって、入室者の着衣等に付着したダスト類を払い落すようにしている。
【０００４】
また、前記フィルタとしてバグフィルタを使用し、このバグフィルタの下側部に集塵されたダストを回収するホッパを設けて、ホッパに回収したダストを掃除機または集塵機の吸引作用が及ぶ吸引管を通してホッパの外に抜き出すようにしている。
【先行技術文献】
【特許文献】
【０００５】
【特許文献１】特開２００４−８２０２８号公報
【発明の概要】
【発明が解決しようとする課題】
【０００６】
ところで、上述した従来のエアーシャワー装置では、エアーシャワーにて捕集した塵埃（ダスト）をホッパに回収し、このダストを掃除機または集塵機の吸引作用が及ぶ吸引管を通してホッパの外に抜き出すことはできるが、作業者が着ている無塵衣の着衣の表面に付着している粒子やその他の付着物がエアーシャワーによって除去しきれず、回収できない場合がある。
また、シャワー室の床に塵等が堆積している場合、この堆積した塵を空気浄化室に吸引して回収できないことがある。
一方、着衣の表面に付着している付着物やシャワー室の床に堆積している塵等（以下、これらをまとめて塵埃という。）を吸引装置によって吸引することができるが、この場合、吸引装置を別途設ける必要があり、コスト高を招くとともにエアーシャワー装置が大型化するという問題がある。
【０００７】
本発明は、前記事情に鑑みてなされたもので、着衣の表面に付着している付着物やシャワー室の床に堆積している塵等の塵埃を簡易的に吸引して除去できるエアーシャワー装置を提供することを目的としている。
【課題を解決するための手段】
【０００８】
前記目的を達成するために、本発明に係るエアーシャワー装置は、隔壁によってシャワー室と空気浄化室とが区画され、前記隔壁に前記シャワー室から前記空気浄化室に空気を取り入れる空気取入口と、前記空気浄化室から前記シャワー室に空気を噴射する空気噴射口とが設けられ、送風機の吸引作用によって前記シャワー室から前記空気取入口を通して前記空気浄化室に吸引した空気を、フィルタで濾過し、この濾過した空気を前記送風機の送風作用によって前記空気噴射口から前記シャワー室に噴射するエアーシャワー装置であって、
前記隔壁に前記空気取入口の少なくとも一部を遮蔽可能な遮蔽部材が設けられ、
前記送風機の吸引側において前記隔壁に接続口部材が前記隔壁を貫通して設けられ、この接続口部材に吸引ホースが接続されていることを特徴とする。
【０００９】
本発明においては、遮蔽部材によって空気取入口の少なくとも一部を遮蔽することによって、空気取入口を遮蔽していない場合に比して、送風機の吸引力が接続口部材に大きく作用するので、この接続口部材に接続されている吸引ホースによって、着衣の表面に付着している付着物やシャワー室の床に堆積している塵等の塵埃を簡易的に吸引して除去できる。
【００１０】
また、本発明の前記構成において、空気取入口側にプレフィルタが設けられていることが好ましい。
【００１１】
このような構成によれば、吸引ホースによって、着衣の表面に付着している付着物やシャワー室の床に堆積している塵等の塵埃を吸引すると、当該塵埃のうち予め大きい粒子の塵埃をプレフィルタによって除去でき、さらに、残りの小さい粒子の塵埃をフィルタで除去できるので、より清浄な空気を空気噴射口から効率的にシャワー室に噴射することができる。
【発明の効果】
【００１２】
本発明によれば、接続口部材に接続されている吸引ホースによって、着衣の表面に付着している付着物やシャワー室の床に堆積している塵等の塵埃を簡易的に吸引して除去できる。
【図面の簡単な説明】
【００１３】
【図１】本実施の形態に係るエアーシャワー装置の概略構成を示す側断面図である。
【図２】本実施の形態に係るエアーシャワー装置の遮蔽部材と空気取込口の位置関係を説明するためのものであって、（ａ）は空気取込口を全開させた場合の図、（ｂ）は空気取込口の一部を遮蔽部材によって遮蔽した場合の図である。
【発明を実施するための形態】
【００１４】
以下、図面を参照して本発明の実施の形態について説明する。
図１は本実施の形態に係るエアーシャワー装置の概略構成を示す側断面図である。
このエアーシャワー装置１は、箱形の本体ケース２を備えている。この本体ケース２はクリーンルーム、バイオクリーンルームといった常に清浄な環境に維持された作業室への入口に設けられており、図１において紙面と直交する方向に対向して図示しないドアが本体ケース２に開閉可能に設けられている。
【００１５】
本体ケース２の内部には門形状の隔壁３が設けられている。この隔壁３によって、本体ケース２内は、シャワー室４とこのシャワー室４の両側に位置する空気浄化室５とに区画されている。そして、シャワー室４に作業者が一方のドアから入り、他方のドアからシャワー室４を出て前記清浄な環境に維持された作業室に入るようになっている。
隔壁３は側壁３ａと天井壁３ｂとを備えており、側壁３ａは本体ケース２の側壁２ａとの間に所定の間隔を隔てて配置され、天井壁３ｂは本体ケース２の上壁２ｂとの間に所定の間隔を隔てて配置されている。
また、側壁３ａと側壁２ａとの間の空間つまり空気浄化室５と、天井壁３ｂと上壁２ｂとの間の空間である天井室６とは連通している。
【００１６】
隔壁３の対向する側壁３ａの下端部には、それぞれシャワー室４から空気浄化室５に空気を取り入れる空気取入口１０が設けられ、また、対向する側壁３ａの上下方向略中央部には、それぞれ空気浄化室５からシャワー室４に空気を噴射する複数の空気噴射口１１が設けられている。
空気取入口１０は矩形状に形成されており、対向する側壁３ａ，３ａにそれぞれ対向して設けられている。
空気噴射口１１は、側壁３ａのシャワー室４の高さ方向の略中央部を中心とする複数の仮想同心円上に周方向に所定間隔で複数設けられている。各空気噴射口１１は、エアーシャワー吹き出し用のノズル１１ａと、このノズル１１ａを支持するホルダ１１ｂを備えている。
【００１７】
また、空気取入口１０には、プレフィルタ１２が空気取入口１０を覆うようにして設けられている。このプレフィルタ１２によってシャワー室４から空気浄化室５に取り込まれる空気中の塵等の塵埃のうち比較的大きな粒子の塵埃を除去するようになっている。
空気取入口１０の背後には、送風機１３が設けられている。送風機１３は電動モータ１３ａと、この電動モータ１３ａの駆動軸に取り付けられた羽根車１３ｂとを備えており、電動モータ１３ａはプレフィルタ１２の背面側に設けられたケース１４に装填され、羽根車１３ｂはプレフィルタ１２より背面側に配置されている。
また、羽根車１３ｂは上下に延在する空気流路１５の下端部に配置され、当該空気流路１５とケース１４の内部とは連通している。
なお、プレフィルタ１２を空気取入口側にあるケース１４の背面側に設けてもよい。このようにすれば、後述する吸引ホース２２によって、着衣の表面に付着している付着物やシャワー室４の床に堆積している塵等の塵埃を吸引すると、当該塵埃のうち予め大きい粒子の塵埃をプレフィルタ１２によって除去できる。
【００１８】
また、空気流路１５の上部には高性能フィルタ（フィルタ）１６が空気流路１５に面して設けられている。この高性能フィルタ１６は、１μｍ以下の塵埃に対しても特に高い集塵効率を有し、一般にはガラス繊維の濾紙、ガラス繊維にセルローズなどを混合した濾紙などが用いられる。
高性能フィルタ１６は９９％以上の集塵効率があるが、高性能フィルタ１６を使用する場合は前置フィルタを配置し、予め大きい粒子の塵埃を除去した後、この高性能フィルタ１６を通過させる必要あるため、上述したプレフィルタ１２を前置フィルタとして空気取入口１０に設けている。
また、高性能フィルタ１６は、複数の空気噴射口１１の背後を覆うようにして配置されており、高性能フィルタ１６によって小さな粒子の塵埃が除去された清浄な空気が空気噴射口１１からシャワー室４に噴射されるようになっている。
【００１９】
このように、本実施の形態のエアーシャワー装置１では、送風機１３の羽根車１３ｂの吸引作用によってシャワー室４から空気取入口１０およびプレフィルタ１２を通して空気浄化室５に吸引した空気を、空気流路１５から高性能フィルタ１６を通して、当該高性能フィルタ１６で濾過し、この濾過した空気を送風機１３の羽根車１３ｂの送風作用によって空気噴射口１１からシャワー室４に噴射するようになっている。
【００２０】
また、前記隔壁３の一方の側壁３ａには、空気取入口１０の一部を遮蔽可能な遮蔽部材２０が設けられている。なお、遮蔽部材２０は他方の側壁３ａにも設けてもよいが、本実施の形態では一方の側壁３ａにのみ設けている。
図２に示すように、遮蔽部材２０は矩形板状に形成されており、その縦辺の長さは空気取入口１０の縦辺の長さより短く、横辺の長さは空気取入口１０の横辺の長さとほぼ等しいか若干長くなっている。また、遮蔽部材２０の表面には取手２０ａが設けられており、この取手２０ａを作業者が横方向に引っ張ることによって、遮蔽部材２０が図２において左右に移動可能となっている。
遮蔽部材２０を左右に移動可能（スライド可能）に設けるには、例えば、隔壁３の側壁３ａに空気取込口１０の上縁部に沿って延在するレールを設け、このレールに遮蔽部材２０の上縁部を左右に移動可能に吊り下げればよい。
【００２１】
エアーシャワー装置１の通常の作動状態、つまり、シャワー室４から空気取入口１０およびプレフィルタ１２を通して空気浄化室５に吸引した空気を高性能フィルタ１６で濾過し、この濾過した空気を空気噴射口１１からシャワー室４に噴射する通常の作動状態では、図２（ａ）に示すように、遮蔽部材２０を空気取入口１０から横方向に離して、空気取入口１０を全開させる。
一方、着衣の表面に付着している付着物やシャワー室４の床に堆積している塵等の塵埃を後述する吸引ホース２２によって吸引する場合は、図２（ｂ）に示すように、遮蔽部材２０を横方向に移動させて空気取入口１０の一部を遮蔽する。
【００２２】
また、図１に示すように、隔壁３の一方の側壁３ａの下部には、送風機１３の吸引側において接続口部材２１が側壁３ａを貫通して設けられている。
すなわち、接続口部材２１は略Ｌ字形のパイプによって構成されており、当該接続口部材２１の一端部がケース１４に、その内部に開口するようにして接続されており、他端部が側壁３ａを貫通してシャワー室４に開口している。
ケース１４の内部は、羽根車１３ｂの吸引作用によって負圧となるので、接続口部材２１の内部には吸引力が作用する。
【００２３】
また、接続口部材２１の他端部には吸引ホース２２が接続されている。この吸引ホース２２は可撓性を有しており、当該吸引ホース２２の先端部には作業者が把持可能なブラシ２３が取り付けられている。ブラシ２３は内部が空洞となっており、当該ブラシ２３の先端部には吸込孔と毛が設けられている。
なお、側壁３ａには図示しないブラシ掛けが設けられている。
【００２４】
また、前記天井壁３ｂには、複数の吹出し孔が形成されており、これら吹出し孔からも清浄な空気がシャワー室４に吹き出されるようになっている。また側壁３ａと、側壁２ａとの間には、空気噴射口１１より上方において、ダンパ２４が設けられている。このダンパ２４は側壁３ａと高性能フィルタ１６との間のチャンバに、送風機１３の送風作用によって所定の圧力が生じた際に上方に押されて移動し、天井室６に清浄された空気を流入させるためのものである。また、ダンパ２４は天井室６から空気が逆流して前記チャンバに流入するのを抑止する逆止弁としても機能する。
【００２５】
このような構成のエアーシャワー装置１では、通常時は図２（ａ）に示すように、空気取入口１０を全開させたうえで、送風機１３の羽根車１３ｂを回転させて、その吸引作用によってシャワー室４から空気取入口１０およびプレフィルタ１２を通して空気浄化室５に吸引した空気を、空気流路１５から高性能フィルタ１６を通して、当該高性能フィルタ１６で濾過し、この濾過した空気を送風機１３の羽根車１３ｂ送風作用によって空気噴射口１１からシャワー室４に噴射する。
また、上述したチャンバに、送風機１３の送風作用によって所定の圧力が生じると、ダンパ２４が上方に押されて移動し、天井室６に清浄された空気が流入し、天井壁３ｂの吹出し孔からも清浄な空気がシャワー室４に吹き出す。
空気噴射口１１からの空気の噴射や天井壁３ｂからの空気の吹き出しは、常時行なっているようにしてもよいが、シャワー室４のドアを開けてシャワー室４内に作業者が入ったときに送風機１３の羽根車１３ｂを回転し、あるいは、常時は弱回転をさせている羽根車１３ｂを、入室時のみ強回転するようにしてもよい。
【００２６】
一方、着衣の表面に付着している付着物やシャワー室４の床に堆積している塵等の塵埃を吸引ホース２２によって吸引する場合は、図２（ｂ）に示すように、遮蔽部材２０を横方向に移動させて空気取入口１０の一部を遮蔽する。
このように、遮蔽部材２０によって空気取入口１０の一部を遮蔽することによって、空気取入口１０を遮蔽していない場合に比して、送風機１３の吸引力が接続口部材２１に大きく作用するので、この接続口部材２１に接続されている吸引ホース２２によって、着衣の表面に付着している付着物やシャワー室４の床に堆積している塵等の塵埃を簡易的に吸引して除去できる。この場合、吸引ホース２２の先端部にはブラシ２３が取り付けられているので、このブラシによって前記塵埃を着衣やシャワー室４の床から掻き出して効率的に塵埃を簡易的に吸引して除去できる。
特に、食品工場等で問題となる髪の毛を吸引ホース２２によって吸引して除去できるため好適である。
【００２７】
また、プレフィルタ１２がケース１４の背面側に設けられている場合、吸引ホース２２によって、着衣の表面に付着している付着物やシャワー室４の床に堆積している塵等の塵埃を吸引すると、当該塵埃のうち予め大きい粒子の塵埃をプレフィルタ１２によって除去でき、さらに、残りの小さい粒子の塵埃を高性能フィルタ１６で除去できるので、より清浄な空気を空気噴射口１１や天井壁３ｂから効率的にシャワー室４に噴射することができる。
【００２８】
なお、本実施の形態では、図２に示すように、空気取込口１０の一部を遮蔽部材２０によって遮蔽可能としたが、空気取込口１０の全てを遮蔽部材２０によって遮蔽可能としてもよい。但し、空気取込口１０の全てを遮蔽すると、送風機１３の電動モータ１３ａ等が過負荷となるため、遮蔽部材２０によって空気取込口１０を遮蔽した場合でも、多少隙間があった方が好ましい。
また、本実施の形態では、遮蔽部材２０を横方向にスライド（移動）可能としたが、上下方向にスライド（移動）可能としてもよい。
【符号の説明】
【００２９】
１  エアーシャワー装置
３  隔壁
４  シャワー室
５  空気浄化室
１０  空気取込口
１１  空気噴射口
１２  プレフィルタ
１３  送風機
１６  高性能フィルタ（フィルタ）
２０  遮蔽部材
２１  接続口部材
２２  吸入ホース
【図１】
2018115827.tif 000003
【図２】
2018115827.tif 000004
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
隔壁によってシャワー室と空気浄化室とが区画され、前記隔壁に前記シャワー室から前記空気浄化室に空気を取り入れる空気取入口と、前記空気浄化室から前記シャワー室に空気を噴射する空気噴射口とが設けられ、送風機の吸引作用によって前記シャワー室から前記空気取入口を通して前記空気浄化室に吸引した空気を、フィルタで濾過し、この濾過した空気を前記送風機の送風作用によって前記空気噴射口から前記シャワー室に噴射するエアーシャワー装置であって、
前記隔壁に前記空気取入口の少なくとも一部を遮蔽可能な遮蔽部材が設けられ、
前記送風機の吸引側において前記隔壁に接続口部材が前記隔壁を貫通して設けられ、この接続口部材に吸引ホースが接続され、
着衣の表面に付着している付着物や前記シャワー室の床に堆積している塵等の塵埃を前記吸引ホースによって吸引する場合、前記遮蔽部材によって前記空気取入口の一部を遮蔽することによって、前記空気取入口を遮蔽していない場合に比して、前記送風機の吸引力を接続口部材に大きく作用させて、この接続口部材に接続されている前記吸引ホースによって、着衣の表面に付着している付着物や前記シャワー室の床に堆積している塵等の塵埃を吸引して除去することを特徴とするエアーシャワー装置。
【請求項２】
空気取入口側にプレフィルタが設けられていることを特徴とする請求項１に記載のエアーシャワー装置。